(57)【要約】【課題】遊技媒体貸出装置に取り付けられた扉の鍵穴に鍵を挿入して回動したりするなどの手間のかかる動作が不要となり、防犯上の安全性を確保しながらも開錠作業が簡便となる遊技媒体貸出装置を提供する。【解決手段】遊技媒体貸出装置の装置本体に取付けられた扉体を施錠するためのロック手段と、ＩＣチップに記録された認証情報を非接触で読み取るリーダ手段と、前記認証情報と照合するための照合情報を記憶した照合情報記憶手段と、前記リーダ手段で読み取った認証情報と前記照合情報記憶手段に記憶された照合情報とを照合する照合手段と、この照合手段による照合結果に基づいて前記ロック手段の開錠動作を制御するロック制御手段とを備える構成とした。【選択図】図５
2008061748.tif 000002
【特許請求の範囲】
【請求項１】
遊技場に複数設置された遊技機間に設置され、遊技媒体を供給可能とした遊技媒体貸出装置であって、
この遊技媒体貸出装置の装置本体に取付けられた扉体を施錠するためのロック手段と、
ＩＣチップに記録された認証情報を非接触で読み取るリーダ手段と、
前記認証情報と照合するための照合情報を記憶した照合情報記憶手段と、
前記リーダ手段で読み取った認証情報と前記照合情報記憶手段に記憶された照合情報とを照合する照合手段と、
この照合手段による照合結果に基づいて前記ロック手段の開錠動作を制御するロック制御手段と、
を備えたことを特徴とする遊技媒体貸出装置。
【請求項２】
前記認証情報と照合情報とを前記照合手段により照合した結果が不一致であった場合、この結果を報知する報知手段を備えたことを特徴とする請求項１記載の遊技媒体貸出装置。
【請求項３】
認証情報が記録されたＩＣチップが設けられた担体と、請求項１又は２に記載の遊技媒体貸出装置とを備えたことを特徴とする遊技媒体貸出装置の施錠システム。
【請求項４】
請求項１又は２に記載の複数の遊技媒体貸出装置の照合情報を、一度に記憶又は更新可能なホストコンピュータを備えたことを特徴とする請求項３記載の遊技媒体貸出装置の施錠システム。
【請求項５】
前記担体の認証情報を記録又は更新可能な記録手段を備えたことを特徴とする請求項３又は４に記載の遊技媒体貸出装置の施錠システム。
【請求項６】
前記担体をＩＣタグとし、同ＩＣタグを発行するＩＣタグ発行装置を備えたことを特徴とする請求項３〜５のいずれか１項に記載の遊技媒体貸出装置の施錠システム。
【請求項７】
遊技場に複数設置された遊技機間に、遊技媒体を供給可能とした遊技媒体貸出装置を取り付けるためのロック手段の開錠を行う遊技媒体貸出装置の取り外し方法であって、
ＩＣチップに記録された認証情報を非接触で読み取るリーダ手段に、当該ＩＣチップを設けた担体を近接させることにより、前記認証情報を読み取る読取ステップと、
読み取った認証情報を照合するための照合情報を記憶した照合情報記憶手段から当該照合情報を読み取り、読み取った照合情報と前記読取ステップで読み取った認証情報とを照合する照合ステップと、
照合の結果、前記認証情報と前記照合情報とが一致したときに前記ロック手段の開錠動作を実行する開錠ステップと、
を含むことを特徴とする遊技媒体貸出装置の取り外し方法。
【発明の詳細な説明】
【技術分野】
【０００１】
本発明は、パチンコ機で用いられる遊技球や、パチスロ機などで用いられるコインのような遊技媒体を貸出すための遊技媒体貸出装置、その施錠システムならびに前記遊技媒体貸出装置を所定の場所から取り外す遊技媒体貸出装置の取り外し方法に関するものである。
【背景技術】
【０００２】
従来、パチンコ店等の遊技場には、遊技球やコイン等の遊技媒体を貸し出すための遊技媒体貸出装置が、パチンコ機やパチスロ機などの遊技機の間に、例えばシリンダ錠等により施錠されて着脱可能に設置されている。
【０００３】
前記遊技媒体貸出装置が故障するなどのトラブル発生や、前記遊技媒体貸出装置の調整などの必要に応じて、遊技場の店員は、シリンダ錠を開錠して前記遊技媒体貸出装置の取り外し作業を行うが、その際、このシリンダ錠の鍵は、他の遊技媒体貸出装置に対しても共通に使用できるものであるため、誰が取り外しあるいは取り付けの作業を行ったかがわからなくなり、防犯上の問題から作業者と遊技店の事業者との間でトラブルの原因となることがあった。
【０００４】
そこで、作業者の認証番号等の認証情報を記録したＩＣチップをシリンダ錠の鍵に格納し、開錠のために前記鍵がシリンダ錠の錠前に差し込まれると、錠前側に設けられた制御部が前記鍵の認証番号を読み出して、施開錠を行う方法が提案されている。
【０００５】
また、例えば、前記ＩＣチップを格納した鍵に代えて、非接触型のＩＣカードを利用して遊技機間に設置された台間機の取り外しを行うものも提案されている（例えば、特許文献１を参照）。
【特許文献１】特開２００１−１０７６０９号公報
【発明の開示】
【発明が解決しようとする課題】
【０００６】
しかし、前記ＩＣチップをシリンダ錠に格納した鍵を用いる方法は、遊技機の扉を開閉させる際には、錠前に前記鍵を差し込んでＩＣチップに記録された認証番号を読み取らせて回転させる開錠動作が必要となるため煩雑である。
【０００７】
また、特許文献１によれば、開動作の許可がされているＩＤコード等の認証情報が記憶されているＲＯＭやＩＣチップの認証情報の読取書込部、認証情報の照合手段としてのＣＰＵ等がそれぞれの遊技媒体貸出装置（台間機）に設けられている。そのため、ＩＣチップの認証情報を台間機一台ごとに登録や更新を行う必要があり、前記認証情報の登録や更新作業が煩雑になってしまう。
【０００８】
また、上述したそれぞれの台間機ごとに認証情報を登録や更新し、またそれぞれの台間機ごとに認証情報の照合を行う替わりに、複数の台間機を一台のコンピュータで管理し、認証番号の登録・更新や、照合をそのコンピュータで行うようにすると、前記コンピュータの故障等によって、これに接続された複数の台間機の照合が行えなくなるおそれがあった。
【０００９】
本発明は、上記従来の問題に鑑みてなされたものであり、その目的は、遊技機媒体貸出装置の開錠に関する防犯上の安全性を確保しつつ、開錠操作が簡便な遊技機媒体貸出装置ならびに遊技媒体貸出装置の施錠システムを提供することにある。
【課題を解決するための手段】
【００１０】
請求項１記載の発明は、遊技場に複数設置された遊技機間に設置され、遊技媒体を供給可能とした遊技媒体貸出装置であって、この遊技媒体貸出装置の装置本体に取付けられた扉体を施錠するためのロック手段と、ＩＣチップに記録された認証情報を非接触で読み取るリーダ手段と、前記認証情報と照合するための照合情報を記憶した照合情報記憶手段と、前記リーダ手段で読み取った認証情報と前記照合情報記憶手段に記憶された照合情報とを照合する照合手段と、この照合手段による照合結果に基づいて前記ロック手段の開錠動作を制御するロック制御手段と、を備えたことを特徴とする。
【００１１】
請求項２記載の発明は、請求項１記載の遊技媒体貸出装置において、前記認証情報と照合情報とを前記照合手段により照合した結果が不一致であった場合、この結果を報知する報知手段を備えたことを特徴とする。
【００１２】
請求項３記載の発明に係る遊技媒体貸出装置の施錠システムは、認証情報が記録されたＩＣチップが設けられた担体と、請求項１又は２に記載の遊技媒体貸出装置とを備えたことを特徴とする。
【００１３】
請求項４記載の発明は、請求項３記載の遊技媒体貸出装置の施錠システムにおいて、請求項１又は２に記載の複数の遊技媒体貸出装置の照合情報を、一度に記憶又は更新可能なホストコンピュータを備えたことを特徴とする。
【００１４】
請求項５記載の発明は、請求項３又は４に記載の遊技媒体貸出装置の施錠システムにおいて、前記担体の認証情報を記録又は更新可能な記録手段を備えたことを特徴とする。
【００１５】
請求項６記載の発明は、請求項３〜５のいずれか１項に記載の遊技媒体貸出装置の施錠システムにおいて、前記担体をＩＣタグとし、同ＩＣタグを発行するＩＣタグ発行装置を備えたことを特徴とする。
【００１６】
請求項７記載の発明は、遊技場に複数設置された遊技機間に、遊技媒体を供給可能とした遊技媒体貸出装置を取り付けるためのロック手段の開錠を行う遊技媒体貸出装置の取り外し方法であって、ＩＣチップに記録された認証情報を非接触で読み取るリーダ手段に、当該ＩＣチップを設けた担体を近接させることにより、前記認証情報を読み取る読取ステップと、読み取った認証情報を照合するための照合情報を記憶した照合情報記憶手段から当該照合情報を読み取り、読み取った照合情報と前記読取ステップで読み取った認証情報とを照合する照合ステップと、照合の結果、前記認証情報と前記照合情報とが一致したときに前記ロック手段の開錠動作を実行する開錠ステップと、を含むことを特徴とする。
【発明の効果】
【００１７】
本発明によれば、ＩＣチップの認証番号を、個々の遊技媒体貸出装置において非接触で照合し、照合結果に基づいてロック手段を開錠することができるため、鍵穴に鍵を挿入して回動したりするなどの手間のかかる動作が不要となり、防犯上の安全性を確保しながらも開錠作業が簡便となる。
【発明を実施するための最良の形態】
【００１８】
本実施形態に係る遊技媒体貸出装置は、遊技場に複数設置された遊技機間に設置され、遊技媒体を供給可能とした遊技媒体貸出装置であって、この遊技媒体貸出装置の装置本体に取付けられた扉体を施錠するためのロック手段と、ＩＣチップに記録された認証情報を非接触で読み取るリーダ手段と、前記認証情報と照合するための照合情報を記憶した照合情報記憶手段と、前記リーダ手段で読み取った認証情報と前記照合情報記憶手段に記憶された照合情報とを照合する照合手段と、この照合手段による照合結果に基づいて前記ロック手段の開錠動作を制御するロック制御手段と、を備えたものである。
【００１９】
すなわち、本実施形態に係る遊技媒体貸出装置は、遊技球やメダルなどの遊技に必要な遊技媒体の貸し出しを行う装置であって、現金挿入口あるいはプリペイドカード挿入口を備え、金額に応じた数量の遊技媒体の貸し出しを行うものであり、前記複数の遊技機の間で前記ロック手段により施錠されて取り付けられている。
【００２０】
遊技機としては、その種類を特に限定するものではないが、ここでは、障害釘や入賞口やその他の遊技部材を設けた遊技盤と、遊技者の操作により遊技球を発射させる発射ハンドルとを備え、前記遊技盤に遊技球を打ち出して、前記入賞口へ入賞させることを目的として遊技を進行させるパチンコ機として説明する。
【００２１】
遊技場の客、すなわち遊技者は、前記遊技機の前側に座った状態で発射ハンドルを操作して遊技を行うとともに、座ったままの状態で前記遊技媒体貸出装置に例えばプリペイドカードを読み込ませることで、所定数量の遊技球の貸し出しを受けることができる。
【００２２】
かかる遊技媒体貸出装置において、例えば前記遊技球の貸し出しを受けられない等のトラブルが生じた場合、店員は、当該遊技媒貸出機の前側で開錠操作を行い、前記遊技媒体貸出装置に取り付けられた扉を開き、前記トラブルの処理を行うことになる。
【００２３】
このとき、本実施形態に係る遊技媒体貸出装置によれば、店員は前記リーダ手段を介して遊技媒体貸出装置と非接触で認証情報を読み取らせることができるとともに、ロック制御手段は、前記照合手段による照合結果に基づいて、前記ロック手段の開錠動作を制御するため、人が鍵穴に鍵を挿入して回動してロックを解除させるなどの手間のかかる動作が不要となり開錠操作が簡便になる。また、前記照合手段を介してＩＣチップの認証番号等の認証情報を照合しつつ開錠を行うので、防犯上の安全性を確保できる。
【００２４】
また、複数の遊技媒体貸出装置を一つのコンピュータに接続し、そのコンピュータに照合手段を負担させると、前記コンピュータの故障等で複数の遊技媒体貸出装置を取り外すことができなくなるという問題があるが、本実施形態に係る遊技媒体貸出装置によれば、それぞれの遊技機が前記照合手段を備えているので、上述した問題を解消できる。
【００２５】
なお、本実施形態において、照合手段ならびにロック制御手段は、前記遊技媒体貸出装置に設けられた後述するコントローラにその機能を負担させることができる。
【００２６】
また、本実施形態に係る遊技媒体貸出装置は、前記ＩＣチップに記録された認証情報と、前記照合情報記憶手段に記憶された照合情報と、を前記照合手段により照合した結果が不一致であった場合、この結果を報知する報知手段を備える構成とすることができる。かかる構成とすれば、不正行為等によって前記遊技媒体貸出装置の扉を開こうとしても、照合した結果が不一致になってその結果が報知されるので、未然に不正行為等を防止できるとともに安全性が高まる。なお、報知手段は警報等の聴覚に訴えるものであってもよいし、警告ランプ等の視覚に訴えるものであってもよい。
【００２７】
また、本実施形態に係る遊技媒体貸出装置では、前記ロック手段を最終的に開錠する開錠スイッチを、前記リーダ手段に近接配置している。したがって、前記ＩＣチップの認証情報を前記リーダ手段に読み取らせる操作と、その後前記ロック手段を最終的に開錠するためにスイッチを切替える操作と、を近接した位置で行うことができ、一連の開錠作業を簡便かつ迅速に行うことができる。
【００２８】
また、認証情報が記録されたＩＣチップが設けられた担体と、前述した遊技媒体貸出装置とを備えることにより、遊技媒体貸出装置の施錠システムが構築される。
【００２９】
この施錠システムによれば、例えば前記担体を後述するＩＣタグとし、このＩＣタグを所定のカードなどに設けることによって、開錠操作性を向上させることができるとともに実用性が高まる。
【００３０】
また、上記施錠システムは、複数の遊技媒体貸出装置の照合情報を、一度に記憶又は更新可能なホストコンピュータを備える構成とすることが好ましい。
【００３１】
例えば認証番号の登録や更新に関しては、前記ホストコンピュータを介して複数の遊技媒体貸出装置を一度に行いつつ、前記認証番号の照合はそれぞれの遊技媒体貸出装置ごとに行うことができる。したがって、認証番号の登録や更新をそれぞれの遊技媒体貸出装置ごとに行うという煩雑性が解消でき、効率的な遊技媒体貸出装置の施錠システムを提供できる。
【００３２】
また、例えばＩＣタグを紛失した場合でも、照合情報記憶手段に記憶された、紛失したＩＣタグに記録された認証情報に対応する認証情報を、前記ホストコンピュータを介して複数の遊技媒体貸出装置に対して一度に更新することで、迅速に更新前の認証情報を使用不能とすることができるので、防犯上の安全性が高まる。
【００３３】
また、本実施形態に係る遊技媒体貸出装置の施錠システムは、前記担体の認証情報を記録又は更新可能な記録手段を備えた構成としている。したがって、前記記録手段を介して例えば人員配置の変更などの必要に応じて新たな認証番号を前記担体に記録させることができるようになり、利便性の高い遊技機の施錠システムを提供できる。また、前記記録手段を介して、例えば所定の頻度で認証情報を更新することで更新前の認証情報は使用不能にすることができるので、防犯上の安全性が高まる。
【００３４】
ところで、上述してきた遊技機の施錠システムは、前記担体をＩＣタグとし、同ＩＣタグを発行するＩＣタグ発行装置を備える構成とすることができる。
【００３５】
かかるＩＣタグ発行装置を介して、例えば所定の規則に従った乱数に基づいた認証番号のＩＣタグを発行させることで、個人ごとに異なる認証番号を記録したＩＣタグを容易に発行できる。したがって、例えば、遊技機の開錠作業を誰が行ったか等のトレーサビリティが向上し、防犯上の安全性が更に高まる。また、ＩＣタグ発行装置により、ＩＣタグを人手によらず発行できるので、ＩＣタグの製作のための工数を削減できる。なお、ＩＣタグ発行装置としては、例えば、ＩＣタグを設けたカードを発行するようにすれば、ＩＣタグの取り扱いがより容易となる。
【００３６】
また、本実施形態においては、以下の遊技媒体貸出装置の取り外し方法が実現する。
【００３７】
すなわち、遊技場に複数設置された遊技機間に、遊技媒体を供給可能とした遊技媒体貸出装置を取り付けるためのロック手段の開錠を行う遊技媒体貸出装置の取り外し方法であって、ＩＣチップに記録された認証情報を非接触で読み取るリーダ手段に、当該ＩＣチップを設けた担体を近接させることにより、前記認証情報を読み取る読取ステップと、読み取った認証情報を照合するための照合情報を記憶した照合情報記憶手段から当該照合情報を読み取り、読み取った照合情報と前記読取ステップで読み取った認証情報とを照合する照合ステップと、照合の結果、前記認証情報と前記照合情報とが一致したときに前記ロック手段の開錠動作を実行する開錠ステップとを含むものである。
【００３８】
したがって、店員は前記読取ステップを介して遊技媒体貸出装置と非接触で認証情報を読み取らせることができるとともに、前記照合手段による照合結果に基づいて前記ロック手段の開錠動作が実行されるため、人が鍵穴に鍵を挿入して回動してロックを解除させるなどの手間のかかる動作が不要となり開錠操作が簡便になる。また、前記照合ステップを介してＩＣチップの認証番号等の認証情報を照合しつつ開錠を行うので、前記遊技媒体貸出装置を取り外す際の防犯上の安全性を確保できる。
【００３９】
また、遊技媒体貸出装置の取り外し方法は、前記照合ステップにおいて、前記認証情報と前記照合情報とが不一致であった場合、この結果を報知手段により報知する報知ステップをさらに含んでいてもよい。
【００４０】
また、遊技媒体貸出装置の取り外し方法は、前記担体の認証情報及び／又は前記照合情報を、記録手段により更新する更新ステップをさらに含んでもよい。
【００４１】
また、遊技媒体貸出装置の取り外し方法は、複数の遊技媒体貸出装置の照合情報を、ホストコンピュータにより一度に記憶又は更新する記録ステップをさらに含むことができる。
【００４２】
以下、本発明に好適な実施形態の一例を、図面に基づいてより具体的に説明する。図１は遊技場における遊技機等の配置やこれらの遊技機を管理するためのコンピュータネットワークの例を模式的に示す概略説明図であり、本実施形態では、このコンピュータネットワークにより、遊技機及び遊技媒体貸出装置の施錠システムの一例が構築されている。
【００４３】
図１に示すように、遊技場４００には、細長い遊技機設置台に複数の遊技機を配設した所謂遊技島４１０、４１１と呼ばれる細長い遊技設備が複数台配置されている。例えば、一の遊技島４１１には、前記遊技機設置台の両面にパチンコ機１００が複数台設置されるとともに、それぞれのパチンコ機１００の間に、遊技媒体である遊技球等の貸し出しを行う本実施形態の遊技媒体貸出装置１０が配置されている。また、他の遊技島４１０には、前記遊技機設置台の両面にパチスロ機１１０が複数台設置されるとともに、それぞれのパチスロ機１１０の間に、これも遊技媒体であるメダルの貸し出しを行う本実施形態の遊技媒体貸出装置１１が配置されている。なお、以下、パチンコ機１００とパチスロ機１１０とを総称して遊技機と記載することがある。
【００４４】
そして、遊技者は、前記遊技島４１０、４１１の遊技機の中から所望する遊技機（パチンコ機１００又はパチスロ機１１０）を選択し、選択した遊技機に対面して当該遊技機を操作しながら遊技を行う。また、遊技者は、前記遊技機に対面したままの状態でも前記遊技媒体貸出装置１０、１１から遊技球やメダルの貸し出しを受けることができる。また、図示するように、例えば前記遊技島４１０、４１１の端には両替機４１２を設置している。なお、図１では省略したが、各遊技機にそれぞれ椅子が備えられており、遊技者は座した状態で楽に遊技が可能となっている。
【００４５】
また、それぞれの遊技機及び遊技媒体貸出装置１０、１１は制御回路を搭載した制御基板（図示せず）などを備えており、前記遊技島４１０、４１１ごとに設けられた中継器４３０を介して通信回線２８０により、ホストコンピュータ４２０に接続されている。前記ホストコンピュータ４２０は、管理用サーバとして機能し、例えば、後述する遊技機及び遊技媒体貸出装置の施錠システムに必要な照合情報や、遊技機のゲーム進行状況を把握するために必要なプログラムやデータが記憶された記憶媒体などを備えている。４２１はホストコンピュータ４２０のモニタである。
【００４６】
以下、説明の便宜上、遊技媒体貸出装置をパチンコ機用の遊技媒体貸出装置１０を例にとって具体的に説明する。
【００４７】
本実施形態の遊技媒体貸出装置１０について、図２〜図５に基づいて説明する。図２はパチンコ機１００及び遊技媒体貸出装置１０の正面視による説明図、図３は本実施形態における遊技媒体貸出装置１０の概観を示す斜視図、図４は同遊技媒体貸出装置１０の概観を示す一部断面説明図、図５は同遊技媒体貸出装置１０の前面に取付けられた扉１６４を開いた状態を説明する斜視図、図６は遊技媒体貸出装置１０の回路構成の例を説明するブロック図である。
【００４８】
遊技媒体貸出装置１０は、上述した遊技場４００に複数設置されたパチンコ機１００の間に設置され、当該遊技媒体貸出装置１０に遊技者が紙幣あるいは硬貨を投入したり、プリペイドカード等の記録媒体の情報を読み取らせたりすることにより、遊技球の貸し出しを受けることができるようにした装置である。
【００４９】
本実施形態の遊技媒体貸出装置１０は、図２〜図５に示すように、全体が縦長直方体状の装置本体１５０を、隣り合うパチンコ機１００の間に固定され、上下方向に延出する側面視コ字型のサンドフレーム１５６（図６参照）に嵌合して構成されており、装置本体１５０は、前記サンドフレーム１５６に対して抜き出し自在に構成された縦長状の管理サンド装置１７０と、この管理サンド装置１７０の下方位置に、前記サンドフレーム１５６に固定された箱体１６３とを備えている。
【００５０】
そして、前記管理サンド装置１７０は、後述するロック手段によって、通常は、前記サンドフレーム１５６に対して取外しできないように装着されているが、後述する取外し方法により、必要に応じてこの管理サンド装置１７０をサンドフレーム１５６から取り外すことができる構成としている。
【００５１】
前記管理サンド装置１７０は、図２〜図５に示すように、紙幣を挿入するための紙幣挿入口１５５ａ、硬貨を投入するための硬貨投入口１５７ａ、おつり等の硬貨を返却する硬貨返却口１５９、プリペイドカード等のカード挿入口１６０、液晶表示を行うディスプレイを備えた表示装置１６９、及び後述する扉１６４のロック等を開錠するための開錠部２を備えている。
【００５２】
また、前記管理サンド装置１７０は、図４に示すように、紙幣挿入口１５５ａから挿入された紙幣の有効性を識別するとともに紙幣をストックする紙幣識別装置１５５、硬貨投入口１５７ａから投入された硬貨の有効性を識別するとともに硬貨をストックし必要に応じて硬貨を返却する硬貨識別装置１５７、カード挿入口１６０から挿入されるプリペイドカード等の記録媒体の情報を読み取り、あるいはその記録媒体に情報を書き込み又は後述するカード収納ボックス１６５（図５）に、前記プリペイドカード等を収納させる記録媒体処理装置１６１を配置させている。さらに、図２及び図３に示すように、管理サンド装置１７０の上端部には、エラー表示などを行う表示ランプ１５４及び警告等を行う警告ランプ１５３が設けられている。
【００５３】
次に、図３〜図５を用いて前記サンドフレーム１５６を説明する。サンドフレーム１５６は、複数のパチンコ機１００の間に固定されるとともに、前記管理サンド装置１７０をこのサンドフレーム１５６に取付けて固定させるためのものである。本実施形態におけるサンドフレーム１５６は、図４に示すように、下端側に箱体１６３を一体的に備えるとともに、上端側に屈曲部１５６ａを備え、全体が側面視で略コ字状に形成される。そして、管理サンド装置１７０は、箱体１６３の上面と屈曲部１５６ａとの間で、引き出し又は押し込むことで、前記サンドフレーム１５６に着脱可能に取付けられている。
【００５４】
前記箱体１６３は、正面視短冊状の中空の筐体で形成されるとともにその箱体１６３の前側には、図２及び図３に示すように、開閉可能な扉体として扉１６４が取付けられている。
【００５５】
また、箱体１６３には、図４に示すように、後述する管理サンド主制御回路１６２ｂ（図６）を有する制御ユニット１６２が設けられている。また、図５に示すように、当該箱体１６３内には、上述したカード収納ボックス１６５を格納している。
【００５６】
ここで、当該カード収納ボックス１６５は、例えば、前記記録媒体処理装置１６１でプリペイドカード等を読取った場合に、当該プリペイドカードの残高なし等の必要に応じて当該プリペイドカード等を回収するためのボックスである。なお、図５中、１６６は、箱体１６３の前面に設けられた開口であり、前記カード収納ボックス１６５や前記制御ユニット１６２などは、この開口１６６から取り出し可能となっている。
【００５７】
ここで、本実施形態の遊技媒体貸出装置１０の遊技媒体貸出機能を実現するための回路構成例について、その概略を図に基づいて説明する。図６に示すように、当該装置本体１５０の管理サンド装置１７０は、パチンコ機１００の払出・発射制御回路１２６に接続されるとともに、上述した紙幣識別装置１５５の動作を制御する紙幣識別装置用制御回路１５５ｂ、上述した硬貨識別装置１５７の動作を制御する硬貨識別装置用制御回路１５７ｂ、上述した記録媒体処理装置１６１の動作を制御する記録媒体処理装置用制御回路１６１ｂ、及び、上述した表示装置１６９の動作を制御するとともに、エラー表示などの制御を行う表示装置用制御回路１６９ｂを備えている。また、図示するように、管理サンド装置１７０は、上述した個々の制御回路（１５５ｂ、１５７ｂ、１６１ｂ、１６９ｂ）と、後述する管理サンド主制御回路１６２ｂとの通信用のシリアル通信用ＩＣ１６７を備えている。
【００５８】
また、箱体１６３に設けられた制御ユニット１６２には、上述した個々の制御回路（１５５ｂ、１５７ｂ、１６１ｂ、１６９ｂ）を制御するとともに、これらの個々の制御回路（１５５ｂ、１５７ｂ、１６１ｂ、１６９ｂ）から出力される信号を受けて、払出・発射制御回路１２６に対して貸し球制御信号を出力する管理サンド主制御回路１６２ｂが設けられる。ここで、前記個々の制御回路１５５ｂ、１５７ｂ、１６１ｂ、１６９ｂ）から出力される信号には、例えば紙幣識別装置用制御回路１５５ｂから出力される、その紙幣識別装置１５５に挿入された紙幣の額に相当する信号等がある。
【００５９】
なお、本実施形態においては、前記管理サンド主制御回路１６２ｂと、上述した個々の制御回路（１５５ｂ、１５７ｂ、１６１ｂ、１６９ｂ）との通信用のシリアル通信用ＩＣ１６８は、サンドフレーム１５６の一部を構成する箱体１６３に設けられている。そして、前記管理サンド装置１７０及び前記サンドフレーム１５６には、通信回線接続用のコネクタ（図示せず）がそれぞれ設けられており、前記管理サンド装置１７０を前記サンドフレーム１５６に取付けることでこれらのコネクタが接続され、前記シリアル通信用ＩＣ（１６７、１６８）の間で通信が可能となるように構成されている。
【００６０】
そして、管理サンド装置１７０は、図４に示すように、サンドフレーム１５６に着脱可能に取付けられ、本実施形態の要部をなすロック手段である後述する第２ロック機構８２により施・開錠可能としている。
【００６１】
次に、これもロック手段により施錠される扉体について、図３及び図５に基づいて説明する。
【００６２】
図示するように、本実施形態における遊技媒体貸出装置１０の扉体として設けられた扉１６４は、前記装置本体１５０の前面部に開閉可能に軸着されて取付けられている。具体的には、扉１６４は前記箱体１６３の正面に形成された開口１６６を閉鎖可能な大きさ及び形状の板体で形成され、後述する第１ロック機構８０により施・開錠可能としている。なお、通常は、当該扉１６４は前記箱体の開口１６６を閉鎖した状態で遊技が行われる。
【００６３】
そして、図３〜図５に示すように、管理サンド装置１７０の下端部には、店員が第１ロック機構８０と第２ロック機構８２とを選択的に開錠するための開錠部２が設けられている。
【００６４】
この開錠部２には、詳しくは後述するが、第１ロック機構８０と第２ロック機構８２の開錠を制御する施開錠コントロール部３０２が設けられており(図７及び図８参照)、この施開錠コントロール部３０２は、店員が鍵代わりに用いるカード３５６から店員個々に定められた認証情報を非接触で読み取るリーダ部３２２と、読み取った認証情報が予め登録された照合情報と一致するか否かを表示する液晶表示装置からなる表示器２ａと、第１ロック機構８０と第２ロック機構８２のいずれを開錠するかを決定する第１の開錠スイッチ２ｂ、第２の開錠スイッチ２ｃとを備えている。なお、図示するように、表示器２ａ、第１の開錠スイッチ２ｂ及び第２の開錠スイッチ２ｃは正面視矩形状のパネル表面に設けられている。なお、表示器２ａは必ずしも液晶表示装置に限るものではなく、例えば７セグＬＥＤなどで構成することもできる。
【００６５】
したがって、例えば、上述したカード収納ボックス１６５に収納されたプリペイドカード等を回収する作業や、上述した制御ユニット１６２を取り出す作業等の必要が生じた場合に、遊技場４００の店員は、カード３５６を開錠部２にかざして認証を受け、第１の開錠スイッチ２ｂを押下して第１ロック機構８０のロックを解除して前記扉１６４を開き、作業を行うことができる。
【００６６】
また、例えば硬貨詰まりなどが生じた場合は、同様に、店員はカード３５６を開錠部２にかざして認証を受け、第２の開錠スイッチ２ｃを押下して第２ロック機構８２のロックを解除し、前記サンドフレーム１５６から前記管理サンド装置１７０を引き出して、硬貨詰まり解消作業などを行うことができる。
【００６７】
図７は本実施形態に係る施錠システムのブロック図、図８は遊技媒体貸出装置１０が備える施開錠コントロール部のブロック図、図９はリーダ手段の概略説明図である。
【００６８】
図７に示すように、施錠システムは、例えば、遊技場４００の店員ごとに特定された認証番号などの認証情報が記録されたＩＣチップ３２４が設けられた担体であるＩＣタグ３２０と、それぞれの遊技媒体貸出装置１０に設けられ、前記ＩＣタグ３２０の認証情報を照合するとともにその結果に基づいて上述した扉１６４の施錠を開錠させる施開錠コントロール部３０２と、前記認証番号を照合するための照合情報であって、複数の遊技媒体貸出装置１０の照合情報を一度に記憶又は更新可能なホストコンピュータ４２０と、前記ＩＣチップ３２４の認証情報を記録又は更新可能な記録手段である記録部３０６と、前記ＩＣタグ３２０を発行するＩＣタグ発行装置３０８とで構築される。なお、本実施形態では、ホストコンピュータ４２０を管理用サーバと兼用しているが、独立した施錠システム専用のコンピュータを用いるようにしてもよい。
【００６９】
本実施形態において、ＩＣタグ３２０は、アンテナ（図示しない）およびＩＣチップ３２４などをパッケージした担体である。ＲＦＩＤ（Radio Frequency Identification）タグまたはＩＣラベルなどと呼ばれることもある。ＩＣチップ３２４は、データを記憶させておくことができるメモリや、後述するリーダ手段としてのリーダ部３２２あるいは記録手段としての記録部３０６と交信する送受信部を備える。そして、前記アンテナが所定の周波数の電磁波に共振して電磁誘導を生じさせることによって、前記ＩＣチップ３２４に記憶しているデータを電磁波で発信したり、または前記ＩＣチップ３２４にデータを書き込んだりすることができる。すなわち、ＩＣチップ３２４に記録された認証情報は、後述するリーダ部３２２により非接触で読み取ることができ、また、後述する記録部３０６により、前記ＩＣチップ３２４に認証情報を非接触で記録することができる。
【００７０】
施開錠コントロール部３０２は、扉体としての扉１６４を、装置本体１５０の箱体１６３に施錠するためのロック手段である第１ロック機構８０及び管理サンド装置１７０をサンドフレーム１５６に取付けた状態で施錠するためのロック手段である第２ロック機構８２の開錠動作を制御するものである。なお、当該施開錠コントロール部３０２は、上述した管理サンド装置１７０の前面に配設した前記開錠部２内に収納されている。
【００７１】
図８に示すように、施開錠コントロール部３０２は、コントローラ３１２と、ＩＣチップ３２４に記録された認証情報を非接触で読み取ることのできるリーダ部３２２と、前記認証情報と照合するための照合情報を記憶した照合情報記憶手段である記憶装置３１８と、前記認証情報と前記照合情報とを照合した結果が一致した場合、その結果を表示する表示手段である表示器２ａと、照合結果が不一致であった場合、その結果を報知する報知手段としての報知器３２６と、前記第１ロック機構８０あるいは第２ロック機構８２を最終的に開錠する開錠スイッチ２ｂ、２ｃを備えている。前記コントローラ３１２はＣＰＵを備えており、認証情報と照合情報とを照合する照合手段として機能する。
【００７２】
次に、ロック手段である第１ロック機構８０及び第２ロック機構８２について、図面を参照して説明する。
【００７３】
第１ロック機構８０は、図５に示すように、扉１６４の背面の所定の場所に設けられた扉側錠体８０ａと、箱体１６３の前面であって扉側錠体８０ａに対応する位置に設けられた箱体側錠体８０ｂとから構成されており、本実施形態では、箱体側錠体８０ｂを電磁石から構成し、扉側錠体８０ａを磁石に吸着される金属板から構成している。なお、一対の錠体８０ａ，８０ｂのいずれを電磁石で構成するかは適宜決定してよいし、両錠体８０ａ，８０ｂ共に電磁石から構成することもできる。
【００７４】
次に、サンドフレーム１５６と管理サンド装置１７０との間に設けられる第２ロック機構８２について、図４及び図１０を用いて説明する。図１０は第２ロック機構８２の説明図である。
【００７５】
第２ロック機構８２は、図示するように、箱体１６３の上端側の後部側に取付けられた錠８２ａと、管理サンド装置１７０の下端面後部に設けられ、前記錠８２ａと係合する係合部８２ｂとから構成される。
【００７６】
錠８２ａは、周知のソレノイドを利用したものであり、箱体１６３の内部に取付けたケース３４８内に、所定のストロークを有し、その頭部３３８ａを箱体１６３の上面から突出可能としたプランジャ３３８と、筒状のソレノイドコイル３３６と、前記プランジャ３３８を常時上方向に付勢するバネ３４０とを収納して構成されている。また、プランジャ３３８の頭部３３８ａに傾斜面３３８ｂを形成するとともに、係合部８２ｂの前側端部には、管理サンド装置１７０をサンドフレーム１５６内に押し込んだ際に、前記傾斜面３３８ｂと当接してプランジャ３３８を下方へ押し込むカム機能を有する案内面３３８ｃを前側面に形成したプランジャ係合突部８０ｃを形成している。
【００７７】
したがって、管理サンド装置１７０をサンドフレーム１５６内に押し込むと、プランジャの頭部３３８ａは前記プランジャ係合突部８０ｃの案内面３３８ｃにより押し下げられて行き、係合部８２ｂに達すると、前記バネ３４０で上方に付勢されてプランジャ３３８が上方へ突出してプランジャ係合突部８０ｃをと係合することで、管理サンド装置１７０は、箱体１６３すなわちサンドフレーム１５６にロックされて施錠される。また、前記ソレノイドコイル３３６に通電されると、磁場が発生して前記プランジャ３３８が下方にスライド動作してロック解除することができる。
【００７８】
施開錠コントロール部３０２に設けられたリーダ部３２２は、ＩＣタグ３２０等に記録されたデータを非接触で読取り、例えば上位の情報処理システム等にそのデータを送信するためのものである。本実施形態に係るリーダ部３２２としては、例えばＩＣタグリーダを用いることができ、上述したＩＣタグ３２０と交信するためのアンテナ（図示しない）と、ＩＣタグ３２０との交信を行う送受信部（図示しない）とを備える。
【００７９】
なお、本実施形態では、図９（ａ）に示すように、ＩＣタグ３２０を、手で把持しやすい程度の大きさのカード３５６に設けており、店員は、図９（ａ）に示すように、カード３５６を手で把持しつつ、前記開錠部２に接近させるだけで、前記リーダ部３２２がＩＣタグ３２０に記録された認証情報を非接触で容易に読み取ることができる。また、リーダ部３２２は、ＩＣタグ３２０との交信により読取った認証情報を、後述する照合手段としてのコントローラ３１２に送信するための送信手段（図示しない）を備えており、前記読取った認証情報はコントローラ３１２に送信される。
【００８０】
なお、ＩＣタグ３２０は、本実施形態におけるカード３５６ではなく、例えば、リストバンドなどのように、常に身に付けられる物に設けることもできる。
【００８１】
照合情報記憶手段である記憶装置３１８は、ＩＣタグ３２０の照合に必要な照合情報などのデータを記憶するためものであり、照合情報メモリ（図示しない）を備えている。そして、照合情報メモリは上述した認証情報と照合するための照合情報を記憶する。照合情報メモリとして、本実施形態では、書き込み及び消去可能なＲＡＭなどのメモリを用いており、前記照合情報の記憶又は更新をさせることができる。
【００８２】
なお、前記照合情報メモリへの書き込みは、図８に示したコントローラ３１２を介して、個々の遊技媒体貸出装置１０に設けられた記録部３０６から行うことができる他、図９に示したホストコンピュータ４２０からも行うことができる。この場合、店員毎に特定された認証情報に対応する各照合情報を一度に記録又は更新することができる。
【００８３】
また、照合情報メモリへの消去についても、コントローラ３１２を介して行える他、ホストコンピュータ４２０と接続された記録部３０６に対し、前記ホストコンピュータ４２０の指示で直接消去を行うこともできる。
【００８４】
コントローラ３１２は、リーダ部３２２で読取った認証情報と記憶装置３１８に記憶された照合情報とを照合する照合手段としての機能と、この照合手段による照合結果に基づいて上述したロック機構８０、８２の開錠動作を制御するロック制御手段としての機能と、前記認証情報と照合情報とを前記照合手段により照合した結果を表示器２ａに表示させる表示制御手段としての機能と、照合した結果が不一致であった場合、この結果を報知器３２６により報知させる報知制御手段としての機能とを有している。
【００８５】
すなわち、照合手段として機能するコントローラ３１２は、上述したリーダ部３２２で読取った認証情報を受けて、前記記憶装置３１８に記憶された照合情報の中に前記リーダ部３２２で読取った認証情報と一致する情報が有るか否かを判定し、認証情報が前記照合情報と一致する場合は、図８に示すように、ロックを解除させるために、電磁石からなる箱体側錠体８０ｂ、あるいは錠８２ａのソレノイドコイル３３６に通電させるための通電信号Ｓｉｇ３を生成する。
【００８６】
本実施形態においては、施錠対象が扉１６４と管理サンド装置１７０とからなるため、施開錠コントロール部３０２は、店員がいずれの施錠対象を開錠するかを選択することができるように、前記ロック機構８０、８２のいずれかを最終的に開錠する第１の開錠スイッチ２ｂ及び第２の開錠スイッチ２ｃ（図３，５，９参照）を、上述した開錠部２（図３〜図５参照）に備えている。
【００８７】
すなわち、例えば、第１の開錠スイッチ２ｂを操作すると、その操作信号を受けたコントローラ３１２は、通電信号Ｓｉｇ３を扉１６４の第１ロック機構８０に出力する。また、第２の開錠スイッチ２ｃを操作すると、その操作信号を受けたコントローラ３１２は、前記通電信号Ｓｉｇ３を管理サンド装置１７０の第２ロック機構８２に出力する。
【００８８】
また、コントローラ３１２は上述した報知制御手段として機能し、上述した認証情報と照合情報との照合結果が不一致であった場合、図１０に示すように、報知信号Ｓｉｇ１を生成する。
【００８９】
報知手段である報知器３２６は、店員の注意を喚起させるために音による警報を発したり又は／及び視覚的に表示したりするものであり、例えば前記開錠部２に設けた図示しないスピーカから前記報知信号Ｓｉｇ１を受けて警報を発したり、あるいは、前記表示器２ａにより画像又はテキスト表示したり、あるいは発光・点滅させることで、店員のカード３５６のＩＣタグ３２０に記録された認証情報が照合情報と不一致であること、すなわち、不正なカードが使用されたおそれがあることを報知する。
【００９０】
なお、コントローラ３１２は、報知器３２６により報知させると同時に、認証情報と照合情報とが不一致であることを示す不一致信号を、ホストコンピュータ４２０に送信し、例えば、管理者に即座に通知できるようにすることもできる。
【００９１】
また、コントローラ３１２は表示制御手段としても機能するものであり、認証情報と照合情報との照合結果が一致した場合に表示信号Ｓｉｇ２を生成し、表示手段である表示器２ａに出力する。表示器２ａは、表示信号Ｓｉｇ２を受けて、例えば「ＯＫ」の表示をする。したがって、店員は、前記リーダ部３２２によりＩＣタグ３２０を読み取らせ、「ＯＫ」の表示を確認した後に、図９（ｂ）に示すように、上述の第１の開錠スイッチ２ｂ、第２の開錠スイッチ２ｃのいずれかを操作して、扉１６４又は管理サンド装置１７０のロックを解除することになる。
【００９２】
本実施形態に係る施錠システムの構成要件である記録部３０６は、上述したＩＣタグ３２０のＩＣチップ３２４に、そのＩＣタグ３２０の認証番号などのデータを書き込んだり、一旦書き込んだデータを消去して新たなデータを書き込んだりするものである。
【００９３】
本実施形態における記録部３０６は、ＩＣタグライタを用いており、認証情報を入力する例えばキーボードなどを含む操作部（図示せず）や、上述したＩＣタグ３２０と交信するためのアンテナ（図示せず）と、ＩＣタグ３２０との交信を行う送受信部（図示せず）などを備える。したがって、前記ＩＣタグ３２０を前記記録部３０６に近接させ、前記操作部で操作しつつ、前記ＩＣタグ３２０の認証情報を記録又は更新できる。また、前記記録部３０６は、後述するＩＣタグ３２０を組込んだカードの状態でそのＩＣタグ３２０のデータを記録または更新できるようにしてもよい。
【００９４】
なお、前記記録部３０６は、上述したＩＣタグ３２０に記録した認証情報をする上述したホストコンピュータ４２０に送信する送信手段（図示しない）を備えている。したがって、本実施形態の施錠システムは、前記ＩＣタグ３２０に記録した認証情報を、ただちに前記ホストコンピュータ４２０を介して複数の遊技媒体貸出装置１０に記憶又は更新することができる。なお、前記ＩＣタグライタを、ホストコンピュータ４２０に直接接続して記録部３０６を構成することもできる。
【００９５】
次に、本実施形態に係る施錠システムが備えるＩＣタグ発行装置３０８について説明する。ＩＣタグ発行装置３０８は、ＩＣタグ３２０を組み込んだカード３５６（図９（ａ）参照）を発行するためのものであって、例えば、携行が容易な名刺サイズの合成樹脂材で形成された未使用カードにＩＣタグ３２０を組み込んで発行するものである。
【００９６】
ＩＣタグ発行装置３０８は、複数の前記ＩＣタグ３２０を整列させるＩＣタグ整列手段（図示せず）、ＩＣタグ３２０を組込む前の未使用カードを収納するカード収納手段（図示せず）、前記カード３５６に前記ＩＣタグ３２０を組み込むＩＣタグ組込手段（図示せず）、ＩＣタグを組込んだカード３５６を排出する排出手段（図示しない）などを備えている。なお、必要に応じて、カード３５６に必要な情報を印刷する印刷手段を設けることもできる。
【００９７】
さらに、本実施形態では、図７に示すように、このＩＣタグ発行装置３０８と記録部３０６とを、上述したホストコンピュータ４２０を介して通信回線で接続している。したがって、本実施形態のＩＣタグ発行装置３０８では、所定の認証情報を記録したＩＣタグ３２０を組み込んだカード３５６を随時発行することができるとともに、前記ＩＣタグ３２０に記録した認証情報に対応する照合情報を、前記ホストコンピュータ４２０を介して、複数の遊技媒体貸出装置１０の施開錠コントロール部３０２に設けた記憶装置３１８に、ただちに記憶又は更新させることができる。
【００９８】
以上のように構築された施錠システムの動作について説明する。
【００９９】
まず、上述したＩＣタグ発行装置３０８を用いて、店員に応じた特有の認証情報が記録されたＩＣタグ３２０が組込まれたカード３５６を発行し、各店員がこれを携行する。
【０１００】
この際、記録された認証情報は、上述したホストコンピュータ４２０ならびにコントローラ３１２を介して、ただちに複数の遊技媒体貸出装置１０の記憶装置３１８に照合情報として記憶される（図７及び図８参照）。
【０１０１】
遊技媒体貸出装置１０の扉１６４を開ける必要が生じた店員は、図９（ａ）に示すように、前記カード３５６を遊技媒体貸出装置１０の前面（図３〜図５）に設けられた開錠部２に近接させ、リーダ部３２２に当該カード３５６のＩＣタグ３２０に記録された認証情報を読み取らせる。認証情報を読み取ったリーダ部３２２は、当該認証情報をコントローラ３１２に送信する。
【０１０２】
前記コントローラ３１２は、送信された前記認証情報を受けて、その認証情報が記憶装置３１８に記憶された照合情報と一致する否かの判定、すなわち照合を行う。前記認証情報が前記照合情報と一致する場合は、コントローラ３１２は前述した通電信号Ｓｉｇ３ならびに表示信号Ｓｉｇ２を生成する（図８）。
【０１０３】
前記表示信号Ｓｉｇ２を受けて、前記表示器２ａは、例えば「ＯＫ」の表示をする。そして、店員は、前記「ＯＫ」の表示を確認した後に、第１の開錠スイッチ２ｂを操作する（図９（ｂ）参照）。
【０１０４】
そうすることで、前記通電信号Ｓｉｇ３が第１ロック機構８０に出力され、前記第１ロック機構８０を最終的に開錠することができ、扉１６４を開けることができる。
【０１０５】
このとき、本実施形態では、施開錠コントロール部３０２に、認証情報、開錠した日時等の開錠履歴データを記憶する開錠履歴メモリを設け、これらの開錠履歴データを、コントローラ３１２によりホストコンピュータ４２０に送信してホストコンピュータ４２０の記憶装置内にデータを記憶させ、何時、誰が、どの遊技媒体貸出装置１０の扉１６４を開放したか等を、いつでも解析できるようにしている。
【０１０６】
また、カード３５６のＩＣタグ３２０に記録された認証情報が照合情報と不一致の場合は、コントローラ３１２は、報知信号Ｓｉｇ１を生成する（図８参照）。そして、報知器３２６は、前記報知信号Ｓｉｇ１を受けて警報を発することで、不正なカードが使用されたおそれがあることを報知する。
【０１０７】
上述してきたように、本実施形態に係る施錠システムによれば、遊技場４００の店員はカード３５６に記録された認証情報を、開錠部２のリーダ部３２２に非接触で読み取らせることで、鍵穴に鍵を差し込んで回転させるといった従来の煩わしい操作から開放されて、スマートに扉体の開放作業が行え、しかも、認証情報は店員毎に定められているので、セキュリティ面においても優れたシステムとなる。
【０１０８】
また、本実施形態に係る施錠システムでは、ホストコンピュータ４２０を用いて、複数の遊技媒体貸出装置１０の照合情報を一度に記憶又は更新可能としているため、例えば、認証番号の登録や更新に関しては、前記ホストコンピュータ４２０を介して複数の遊技媒体貸出装置１０に対して一度に行いつつ、前記認証番号の照合はそれぞれの遊技媒体貸出装置１０ごとに行うことができる。
【０１０９】
したがって、例えば店員がカード３５６を紛失した場合でも、各遊技媒体貸出装置１０の記憶装置３１８に記憶された照合情報（紛失したカード３５６のＩＣタグ３２０に記録されていた認証情報に対応する照合情報）を、ホストコンピュータ４２０を介して、複数の遊技媒体貸出装置１０に対して一度に更新することで、紛失したカード３５６のＩＣタグ３２０に記録されていた更新前の認証情報を使用不能とすることができるので、防犯上の安全性が高まる。しかも、認証番号の登録や更新をそれぞれの遊技媒体貸出装置１０ごとに行うという煩雑性が解消できる。
【０１１０】
次に、本実施形態の遊技媒体貸出装置の取外し方法について図１１を用いて説明する。図１１は、前記取外し方法を、遊技媒体貸出装置１０の管理サンド装置１７０をサンドフレーム１５６から取り外す際に適用した場合の、基本的な処理ステップを説明するフローチャートである。
【０１１１】
まず、施開錠コントロール部３０２のコントローラ３１０は、リーダ部３２２を、ＩＣタグ３２０が組み込まれたカード３５６を受け付けるために待機させた状態にする（ステップＳ１１）。
【０１１２】
次に、読取ステップとして、店員が携行したカード３５６がリーダ部３２２に近接されると、リーダ部（リーダ手段）３２２はこれを受付けて、そのカード３５６のＩＣタグ３２０の認証情報を読み取る（ステップＳ１２）。
【０１１３】
次に、照合ステップとして、コントローラ３１２は、読取った認証情報を照合するための照合情報を記憶した記憶装置（照合情報記録手段）３１８（図８）から照合情報を読み取り、その読取った照合情報とステップＳ１２で読取った認証情報との照合を行う（ステップＳ１３）。そして、照合結果が不一致の場合、コントローラ３１２は、ステップＳ１２（カード受待機）に戻す（ステップＳ１４）。
【０１１４】
他方、前記照合結果で一致した場合は、開錠ステップとして、コントローラ３１２は、前記ロック手段の開錠動作を実行する（ステップＳ１５）。すなわち、ステップＳ１５では、第１ロック機構８０及び第２ロック機構８２を解除するための通電信号Ｓｉｇ３（図８）を生成し、第２の開錠スイッチ２ｃが操作されたことを契機に、通電信号Ｓｉｇ３を第２ロック機構８２に送り、ソレノイドコイル３３６に通電させることでプランジャ３３８を下方にスライド動作させるのである。
【０１１５】
次に、上述した解除履歴データを、施開錠コントロール部３０２に設けた開錠履歴メモリに記憶する（ステップＳ１６）。
【０１１６】
なお、上述したステップは、遊技媒体貸出装置１０の一部である管理サンド装置１７０をサンドフレーム１５６から取り外す方法について説明しているが、遊技場４００に複数設置された遊技機（パチンコ機１００、パチスロ機１１０）間に、箱体１６３を含む遊技媒体貸出装置１０全体がロック手段によって取付けられている場合にも適用可能である。
【０１１７】
ここで、遊技媒体貸出装置１０の他の実施形態について説明する。
【０１１８】
上述してきた実施形態においては、遊技媒体貸出装置１０は、扉１６４の第１ロック機構８０あるいは管理サンド装置１７０の第２ロック機構８２を最終的に開錠する際に、開錠部２に設けた第１の開錠スイッチ２ｂ及び第２の開錠スイッチ２ｃを操作することによって、開錠対象を前記第１ロック機構８０と第２ロック機構８２とのうちいずれかを選択するようにしたが、開錠スイッチ２ｂ、２ｃによらずに選択することもできる。
【０１１９】
すなわち、上述した施開錠コントロール部３０２に設けたリーダ部３２２が、例えば、所定の時間内に前記認証情報を一回だけ読み取り、その認証情報が照合情報と一致した場合に、上述したコントローラ３１２は通電信号Ｓｉｇ３を生成して第１ロック機構８０に出力し、上述したソレノイドコイル３３６に通電させて第１ロック機構８０を最終的に開錠する。
【０１２０】
他方、前記所定の時間内に同一の認証情報を２回読取った場合であって、その認証情報が照合情報と一致した場合には、上述したコントローラ３１２は、通電信号Ｓｉｇ３を生成して第２ロック機構８２に出力し、上述したソレノイドコイル３３６に通電させて前記第２ロック機構８２を最終的に開錠するのである。
【０１２１】
この場合、認証情報を読み取る前記所定の時間を計測するタイマ手段や、その所定の時間内の読取回数をカウントするカウンタ手段等を、例えば上述した施開錠コントロール部３０２に備えさせるとよい。
【０１２２】
本実施形態のように構成すれば、開錠スイッチ２ｂ、２ｃを廃止することができ、開錠部２の構成の簡略化、ならびに開錠操作の簡素化が図れる。
【０１２３】
ところで、本実施形態では、遊技媒体貸出装置１０のみならず、遊技機に設けられた扉体の施錠及び開錠についても、上述したロック手段と同様な機構を採用しており、必要に応じて、店員はカード３５６を用いて、例えばパチンコ機１００に設けられた扉１１１の開錠を行うことができる。すなわち、パチンコ機１００及びパチスロ機１１０を含む遊技機の施錠システムについても、図１に示したコンピュータネットワークにより構築されている。
【０１２４】
ここで、パチンコ機１００の概観について図２、図１２〜図１４を用いて説明する。図１２は同パチンコ機１００の概観を示す分解斜視図、図１３及び図１４はパチンコ機１００の扉１１１がパチンコ機１００の前面を開放した状態を説明する斜視図である。
【０１２５】
図１２に示すように、パチンコ機１００は、前面に開口１２ａが形成された筐体１２と、その筐体１２における開口１２ａの内部に配設される遊技盤１４及び液晶表示装置３２、さらには図示しない制御基盤等と、筐体１２の前方に開閉自在に軸着された扉１１１とから構成されている。この扉１１１は、図１２に示すように、開口１２ａを前面から閉鎖するためのものであり、前記遊技盤１４と略同じ形状と大きさの透明な保護ガラス板１９を支持する枠体で形成される。そして、当該扉１１１を閉めたときに、前記遊技盤１４、図示しない制御基盤、液晶表示装置３２等が筐体１２内に収納された状態となるように構成されている。そして、当該扉１１１は、通常、筐体１２の開口１２ａを閉鎖した状態で遊技が行われる。また、筐体１２の前面の下側には、上皿２０、下皿２２、発射ハンドル２６等が設けられている。
【０１２６】
また、前記扉１１１は、図１３及び図１４に示すように、筐体１２の開口１２ａを開閉するものであるが、この扉１１１の前面側には、さらに、保護ガラス板１９を支持するガラス扉１３４が開閉自在に軸着されている。
【０１２７】
遊技盤１４と液晶表示装置３２との間にはスペーサ３１が介設されており、液晶表示装置３２の背面側に前記制御基板が配設されている。３１ａはスペーサ３１の中央に設けた大きな貫通穴３１ａであり、この貫通穴３１ａには電飾ユニット５３が設けられている。ここで、電飾ユニット５３は、遊技の進行状況の変化などをＬＥＤなどで表示させるためのものであり、遊技者は、その表示を視認しつつパチンコ遊技を行う。
【０１２８】
遊技盤１４には、図２に示すように、その前面側に、発射された遊技球が転動可能な遊技領域１５が設けられている。この遊技領域１５は、２つのガイドレール３０ａ，３０ｂにより囲まれた遊技球が転動可能な領域であり、この遊技領域１５に、複数の遊技釘１３が打ちこまれるとともに、障害物５５、５７、通過ゲート５４、一般入賞口５６ａ〜５６ｄ、始動口２５、この始動口２５に付設された羽根部材２３、大入賞口３９、シャッタ４０といった遊技部材が設けられている。
【０１２９】
また、本実施形態におけるパチンコ機１００の遊技盤１４は、その全部が透過性を有する板形状の樹脂(透過性を有する部材)によって形成されている。この透過性を有する部材としては、例えば、アクリル樹脂、ポリカーボネート樹脂、メタクリル樹脂など各種の材質が該当する。
【０１３０】
遊技に関する演出画像を表示する液晶表示装置３２は、前記スペーサ３１を挟んで、遊技盤１４の背後に設けられており、遊技に関する画像の表示を可能とする表示領域３２ａを有している（図１２）。この表示領域３２ａは、遊技盤１４の全部又は一部に、スペーサ３１を挟んで、背面側から重なるように配設されており、演出用の演出画像、装飾用の装飾画像等、各種の画像を表示することができる。すなわち、透明な遊技盤１４の遊技領域１５あるいは遊技盤１４全体を透して、広い領域を用いたダイナミックな画像表示が可能となっている。
【０１３１】
また、遊技盤１４の背後に液晶表示装置３２を設けることにより、例えば、遊技釘１３の植設領域や遊技部材を設ける領域を大きくできるなど、レイアウトの自由度を高めることが可能である。
【０１３２】
上述したように、パチンコ機１００の前面の扉１１１は、前記パチンコ機１００の筐体１２の開口１２ａを通常閉鎖した状態で遊技が行われる。その際、当該扉１１１は、不正行為等によって開かれることがないように、前記筐体１２に施錠される。
【０１３３】
具体的には、その施錠は、図１３に示すように、前記筐体１２の正面視右側に配置された縦枠部分の上下所定位置に錠孔部２８ｂ．２８ｂを設け、当該扉１１１を形成する枠体の裏面側であって前記錠孔部２８ｂ、２８ｂにそれぞれ対応する位置に錠前部を設け、これら錠前部を前記錠孔部２８ｂ，２８ｂに押し込んでロックすることで行われる。
【０１３４】
また、例えば遊技釘１３などに遊技球が掛かったりした場合は、ガラス扉１３４を開放して掛かり球を取り除くが、このガラス扉１３４についても前記錠前部と同一構成の錠前部２８ａをガラス扉１３４の一側中央部に設けており、これに対応する錠孔部２８ｂが扉１１１の対応箇所に設けられている（図１２及び図１４）。
【０１３５】
また、パチンコ機１００は、図２、図１３及び図１４に示すように、前記扉１１１の右側に、遊技媒体貸出装置１０における開錠部２と同様に施錠を開錠するための扉開錠部２７を備えており、例えば球詰まりなどの不具合が生じた場合に、店員はこの扉開錠部２７を用いて前記扉１１１を開けることができる。なお、扉開錠部２７については、前述した遊技媒体貸出装置１０の開錠部２と同様の構成であり、また、錠前部２８ａについては遊技媒体貸出装置１０の第２ロック機構８２と基本構成及びその開錠動作についても同様であるため、その詳細な説明は省略する。
【０１３６】
すなわち、簡単に説明すると、店員は、パチンコ機１００の扉１１１又はガラス扉１３４の開放についても、扉開錠部２７に設けられたリーダ手段にカード３５６を接近させて非接触で認証情報を読み取らせ、照合手段による照合結果と、扉開錠部２７に設けた開錠スイッチ２７ａ，２７ｂの操作に基づいて、ロック制御手段によって錠前部２８ａの開錠動作が行われるのである。例えば、開錠スイッチ２７ａが操作されるとガラス扉１３４が開錠され、開錠スイッチ２７ａが操作されると扉１１１が開錠されることになる。したがって、従来のパチンコ機のように、扉を開ける場合、店員が鍵穴に鍵を挿入して回動してロックを解除させるなどの手間のかかる動作が不要となり、開錠操作が簡便になっている。
【０１３７】
以上説明してきたように、本実施形態における遊技媒体貸出装置１０、遊技媒体貸出装置１０の施錠システムならびに遊技媒体貸出装置の取外し方法（図１１）によれば、ＩＣチップ３２４の認証番号を、個々の遊技媒体貸出装置１０に設けた開錠部２において非接触で照合し、照合結果に基づいてロック機構８０（８２）を開錠することができるため、鍵穴に鍵を挿入して回動したりするなどの手間のかかる動作が不要となり、防犯上の安全性を確保しながらも開錠作業が簡便となる。
【０１３８】
以上、本発明の実施形態のうちのいくつかを図面に基づいて詳細に説明したが、これらはあくまでも例示であり、当業者の知識に基づいて種々の変形、改良を施した他の形態で本発明を実施することが可能である。また、遊技媒体貸出装置としてはパチンコ機１００やパチスロ機１１０の遊技媒体貸出装置に限定されるものではなく、遊技に供される遊技媒体の貸出装置であれば全て含まれる。
【図面の簡単な説明】
【０１３９】
【図１】遊技場における遊技機等の配置の例を模式的に示す概略説明図である。
【図２】本実施形態に係る遊技媒体貸出装置及びパチンコ機の正面図である
【図３】本実施形態における遊技媒体貸出装置の概観を示す斜視図である。
【図４】同遊技媒体貸出装置の概観を示す分解断面図である。
【図５】同遊技媒体貸出装置の概観を示す斜視図である。
【図６】同遊技媒体貸出装置の回路構成の例を説明するブロック図である。
【図７】同遊技媒体貸出装置の施錠システムのブロック図である。
【図８】同遊技媒体貸出装置が備える施開錠コントロール部のブロック図である。
【図９】リーダ手段、カード、開錠スイッチを説明する概略図である。
【図１０】ロック機構を説明する一部省略断面図である。
【図１１】本実施形態の遊技媒体貸出装置の取外し方法の基本的な処理ステップを示すフローチャートである。
【図１２】本実施形態におけるパチンコ機の概観を示す分解斜視図である。
【図１３】本実施形態におけるパチンコ機の概観を示す斜視図である。
【図１４】本実施形態におけるパチンコ機の概観を示す斜視図である。
【符号の説明】
【０１４０】
２    開錠部
１０    遊技媒体貸出装置
８０    第１ロック機構（ロック手段）
８２    第２ロック機構（ロック手段）
１５０    装置本体
１５６    サンドフレーム
１６３    箱体
１７０    管理サンド装置
３０２    施開錠コントロール部
３０６    記録部（記録手段）
３０８    ＩＣタグ発行装置
３１２    コントローラ
３１８    記憶装置（照合情報記憶手段）
３２０    ＩＣタグ
３２２    リーダ部（リーダ手段）
３２４    ＩＣチップ
３２６    報知器
３５６    カード
４２０    ホストコンピュータ
【図１】
2008061748.tif 000003
【図２】
2008061748.tif 000004
【図３】
2008061748.tif 000005
【図４】
2008061748.tif 000006
【図５】
2008061748.tif 000007
【図６】
2008061748.tif 000008
【図７】
2008061748.tif 000009
【図８】
2008061748.tif 000010
【図９】
2008061748.tif 000011
【図１０】
2008061748.tif 000012
【図１１】
2008061748.tif 000013
【図１２】
2008061748.tif 000014
【図１３】
2008061748.tif 000015
【図１４】
2008061748.tif 000016